(57)【要約】 【課題】視覚に依存せず、ディスプレイに囚われず対象物を確認しやすいこと。【解決手段】予め設定された撮像範囲を有し、当該撮像範囲内の対象物を撮像する撮像部と、特定の指標の像が前記撮像範囲内に入ったか否かを判定する指標像判定部と、前記撮像範囲内の所定画像部分を検出する所定画像検出部と、前記指標判定部により前記指標像が前記所定画像部分に重なったことが判定されると、当該判定の旨を報知する報知部とを具備する撮像装置である。【選択図】図１
2014192889.tif 000002
【特許請求の範囲】
【請求項１】
予め設定された撮像範囲を有し、当該撮像範囲内の対象物を撮像する撮像部と、
特定の指標の像が前記撮像範囲内に入ったか否かを判定する指標像判定部と、
前記撮像範囲内の所定画像部分を検出する所定画像検出部と、
前記指標判定部により前記指標像が前記所定画像部分に重なったことが判定されると、当該判定の旨を報知する報知部と、
を具備することを特徴とする撮像装置。
【請求項２】
前記指標判定部は、前記撮像部の撮像範囲外からの画像データ変化からユーザの指部を認識して上記指標像と判定することを特徴とする請求項１に記載の撮像装置。
【請求項３】
前記所定画像検出部が検出する前記所定画像部分は、上記撮像部により取得される画像情報の変化部である特徴とする請求項１に記載の撮像装置。
【請求項４】
前記所定画像検出部は、画像情報の変化部の変化方向と変化なし方向を判定可能であり、上記報知部は、上記指標の変化方向と画像情報の変化方向の関係で報知することを特徴とする請求項１に記載の撮像装置。
【請求項５】
前記所定画像検出部が検出する前記所定画像部分は、上記撮像部により取得される領域の境界部である特徴とする請求項１に記載の撮像装置。
【請求項６】
予め設定された撮像範囲を有し、当該撮像範囲内の対象物を撮像する撮像部と、
特定の指標の像が前記撮像範囲内に入ったか否かを判定する指標像判定部と、
前記指標判定部により前記指標像の先端部が前記撮像範囲内の所定画像部分に重なったことが判定されると、振動または音声信号を発生する報知部と、
を具備することを特徴とする操作装置。
【請求項７】
前記指標判定部は、前記撮像部の撮像範囲外からの画像データ変化と画像形状からユーザの指部を認識して上記指標像と判定することを特徴とする請求項６に記載の操作装置。
【請求項８】
前記所定画像検出部が検出する前記所定画像部分は、上記撮像部により取得される領域の境界部である特徴とする請求項６に記載の操作装置。
【請求項９】
前記所定画像部分は、上記撮像部により取得される画面内の画像情報の変化部である特徴とする請求項６に記載の操作装置。
【請求項１０】
上記報知部は、前記指標像の先端部が上記撮像部により取得される領域の境界部と重なる場合と、前記指標像の先端部が上記撮像部により取得される画面内の画像情報と重なる場合とで、報知を切り替えることを特徴とする請求項６に記載の操作装置。
【請求項１１】
予め設定された撮像範囲を有し、当該撮像範囲内の被写体を撮像する撮像部と、
前記被写体を前記撮像範囲内に導くための指標が少なくとも前記撮像範囲内に入ったか否かを判定する指標判定部と、
前記指標判定部により前記指標が少なくとも前記撮像範囲内に入ったことが判定されると、当該判定の旨を報知する報知部と、
を具備することを特徴とする操作装置。
【請求項１２】
前記指標判定部は、前記撮像部の撮像範囲外からの画像データ変化からユーザの指部を認識し、当該認識された指部が上記所定画像部分に重なったか否かを判定することを特徴とする請求項１１に記載の操作装置。
【請求項１３】
前記報知部は、前記指標が少なくとも前記撮像範囲内に入ったことを少なくとも振動又は音声のいずれか一方又は両方により報知することを特徴とする請求項１１又は１２のうちいずれか１項に記載の操作装置。
【請求項１４】
前記撮像部は、前記被写体を撮像して前記被写体を含む画像データを出力し、
前記指標判定部は、前記指標が前記撮像範囲内に入るか、又は前記画像データ内において前記被写体に接触したことを判定し、
前記報知部は、前記指標判定部により前記指標が前記撮像範囲内に入ったこと、又は前記指標が前記画像データ中において前記被写体に接触したことを判定すると、少なくとも前記振動又は前記音声のいずれか一方又は両方により前記報知を行う、
ことを特徴とする請求項１１に記載の操作装置。
【請求項１５】
前記指標判定部は、前記指標が前記撮像範囲内に入る方向、又は前記指標が前記画像データ内において前記被写体に接触する方向を判定し、
前記報知部は、前記指標判定部により判定された前記指標が前記撮像範囲内に入る方向、又は前記指標が前記被写体に接触する方向に応じて前記音声の種類を変更する、
ことを特徴とする請求項１１に記載の操作装置。
【請求項１６】
前記被写体の画像データの再生時に、
前記指標判定部は、前記撮像範囲内で移動する前記指標の軌跡を判定し、
前記報知部は、前記指標判定部により判定された前記指標の軌跡が前記再生された前記画像データと関連性を有すれば、当該関連性に応じた旨の報知を行う、
ことを特徴とする請求項１１に記載の操作装置。
【請求項１７】
予め設定された撮像範囲を有し、当該撮像範囲内の対象物を撮像する撮像ステップと、
特定の指標の像が前記撮像範囲内に入ったか否かを判定する指標像判定ステップと、
前記指標判定ステップにより前記指標像が前記撮像範囲内の所定画像部分に重なったことが判定されると、当該判定の旨を報知する報知ステップと、
を有することを特徴とする対象物確認方法。
【請求項１８】
前記指標判定ステップは、前記撮像部の撮像範囲外からの画像データ変化からユーザの指部を認識して上記指標像と判定することを特徴とする請求項１７に記載の対象物確認方法。
【請求項１９】
前記所定画像部分は、上記撮像ステップにより取得される画像情報の変化部である特徴とする請求項１７に記載の対象物確認方法。
【請求項２０】
コンピュータに、
撮像部を用いて撮像する機能と、
特定の指標の像が前記撮像部の撮像範囲内に入ったか否かを判定する指標像判定機能と、
前記指標判定部により前記指標像を判定する機能と、
前記指標像の先端部が前記撮像範囲内の所定画像部分に重なったことが判定する機能と、
上記重なりが判定されると、振動または音声信号を発生する報知機能と、
を実現させるための操作装置用プログラム。
【請求項２１】
前記指標像判定機能は、前記撮像部の撮像範囲外からの画像データ変化と画像形状からユーザの指部を認識して上記指標像と判定することを特徴とする請求項２０に記載の操作装置用プログラム。
【請求項２２】
前記所定画像検出機能は、上記撮像部により取得される領域の境界部または、画像変化部を検出して前記所定画像部分であるとする請求項２０に記載の操作装置用プログラム。
【発明の詳細な説明】
【技術分野】
【０００１】
本発明は、撮像時に、当該撮像される被写体の確認を軽減して操作性を向上した撮像装置、操作装置、対象物確認方法、操作装置用プログラムに関する。
【背景技術】
【０００２】
カメラ等の撮像装置により被写体を撮像する場合、ユーザは、撮像装置のディスプレイに表示される画像を見ながら確実に被写体が撮像範囲に入っていることを確認してシャッタを操作して撮像を行う。  
かかる撮像装置の操作性等を向上させた技術としては、例えば特許文献１がある。この特許文献１は、触覚ディスプレイ装置に関し、画面上に置かれこの画面上の座標位置を検出するための光学的センサと、マトリクス状に配列されたピンにより構成された触覚ピンと、ピンの個々を所定の状態に駆動する触覚ピンドライブ回路と、全体の動作を制御するＣＰＵとを有し、触覚ピンドライブ回路が画面に表示された画像と対応してピンを駆動することにより、このピンの状態を触覚感知して画像の内容の認識を可能としたことを開示している。
【先行技術文献】
【特許文献】
【０００３】
【特許文献１】特開平９−３２５６８８号公報
【発明の概要】
【発明が解決しようとする課題】
【０００４】
しかしながら、被写体を撮像するときの操作では、当該撮像を行う周囲環境が明るい、例えば太陽光が直接ディスプレイに照射されて当該ディスプレイ画面上が眩しくなり、ユーザがディスプレイに表示される画像を確認することができなくなり、被写体が撮像範囲内に入っているのかを判別できないことがある。太陽光が直接照射される周囲環境下では、被写体を撮像してディスプレイに表示される画像自体の輝度も高くなってしまい、この場合も、ディスプレイに表示される画像を確認することができなくなる場合がある。
【０００５】
これとは反対に、撮像を行う周囲環境が暗くなり、ディスプレイに表示される画像も暗くなり、この場合にも被写体が撮像範囲内に入っているのかを判別できないことがある。又、暗い周囲環境下では、被写体を撮像してディスプレイに表示される画像自体の輝度も低くなり、この場合も、ディスプレイに表示される画像を確認することができなくなる場合がある。  
このように周囲環境の明るさの影響を受けてディスプレイ画面中に被写体が入っていることを確認できなくなり、撮像するチャンスを逃すおそれがある。  
もちろん、それに限らず、小さなディスプレイにばかり囚われてはいられないシーンもあれば、視力が低いユーザや目が不自由なユーザもいる。さらには、また、撮像機器に限る必要もなく、視覚ばかりに依存せず、ディスプレイに囚われず対象物を確認しやすい表示機器が求められている。
【０００６】
本発明の目的は、視覚に依存せず、ディスプレイに囚われず対象物を確認しやすい撮像装置、操作装置、対象物確認方法、操作装置用プログラムを提供することにある。
【課題を解決するための手段】
【０００７】
本発明の主要な局面に係る撮像装置は、予め設定された撮像範囲を有し、当該撮像範囲内の対象物を撮像する撮像部と、特定の指標の像が前記撮像範囲内に入ったか否かを判定する指標像判定部と、
前記撮像範囲内の所定画像部分を検出する所定画像検出部と、前記指標判定部により前記指標像が前記所定画像部分に重なったことが判定されると、当該判定の旨を報知する報知部とを具備する。  
また、前記指標の像が、上記撮像対象の像に重なったことを撮像により判定して判定報知を行う。
【０００８】
本発明の主要な局面に係る操作装置は、予め設定された撮像範囲を有し、当該撮像範囲内の対象物を撮像する撮像部と、特定の指標の像が前記撮像範囲内に入ったか否かを判定する指標像判定部と、前記指標判定部により前記指標像の先端部が前記撮像範囲内の所定画像部分に重なったことが判定されると、振動または音声信号を発生する報知部とを具備する。
【０００９】
本発明の主要な局面に係る対象物確認方法は、予め設定された撮像範囲を有し、当該撮像範囲内の対象物を撮像する撮像ステップと、特定の指標の像が前記撮像範囲内に入ったか否かを判定する指標像判定ステップと、前記指標判定ステップにより前記指標像が前記撮像範囲内の所定画像部分に重なったことが判定されると、当該判定の旨を報知する報知ステップとを具備する。
【００１０】
本発明の主要な局面に係る操作装置用プログラムは、コンピュータに、撮像部を用いて撮像する機能と、特定の指標の像が前記撮像部の撮像範囲内に入ったか否かを判定する指標像判定機能と、前記指標判定部により前記指標像を判定する機能と、前記指標像の先端部が前記撮像範囲内の所定画像部分に重なったことが判定する機能と、上記重なりが判定されると、振動または音声信号を発生する報知機能とを実現させる。
【発明の効果】
【００１１】
本発明によれば、視覚に依存せず、ディスプレイに囚われず対象物を確認しやすい撮像装置、操作装置、対象物確認方法、操作装置用プログラムを提供できる。
【図面の簡単な説明】
【００１２】
【図１】本発明に係る撮像装置の第１の実施の形態を示すブロック構成図。
【図２】同装置において右手の指が入り込んだ右縁に対応して左右（右）側に発生する振動を示す模式図。
【図３】同装置においてユーザにより撮影を行う周囲環境が暗い状況での背面モニタ上の画像の右縁から右手が入り込んだことを示す図。
【図４】同装置において背面モニタ上の画像の右縁から右手が入り込んだことを示す図。
【図５】同装置において右手が入り込んだ右縁に対応して撮影光学系の左右（右）側に発生する振動を示す模式図。
【図６】同装置において背面モニタ上の画像の上縁から右手が入り込んだことを示す図。
【図７】同装置において右手が入り込んだ上縁と同じく撮影光学系の上（上下）側に発生する振動を示す模式図。
【図８】同装置における上側で発生する振動を示す図。
【図９】同装置における下側で発生する振動を示す図。
【図１０】同装置における振動部材を示す構成図。
【図１１】同装置における印加部を示す構成図。
【図１２】同装置においてユーザの右手の指によるタッチ部分に対応する振動部材の部分において振動が発生している状態を示す図。
【図１３】同装置においてスライド移動する振動部材における凹んだ部分を示す図。
【図１４】同装置においてタッチ部分のスライド移動先に振動部材において凹んだ部分を発生させることを示す図。
【図１５】同装置における操作装置用フローチャート。
【図１６】本発明に係る撮像装置の第２の実施の形態においてユーザの右手で把持されるところに設けられた振動部材を示す図。
【図１７】同装置がユーザの右手で把持され、かつレリーズボタンを押し操作する状態に対応するところに設けられた振動部材を示す図。
【図１８】同装置において撮像範囲内への指が入ったこきの振動パターンを説明するための図。
【図１９】同装置において撮像範囲内への指の侵入が進んで画像データ中において被写体と接触したときの振動パターンを説明するための図。
【図２０】同装置における操作装置用フローチャート。
【図２１】本発明に係る撮像装置の第３の実施の形態においてユーザの首に掛けた状態やめがね型、頭部装着型カメラに適用して画像再生に利用することを示す図。
【図２２】同装置における触覚モードに時のマーカＭ等の軌跡を判定を示す図。
【図２３】同装置における触覚モードにおける画像再生フローチャート。
【発明を実施するための形態】
【００１３】
［第１の実施の形態］  
以下、本発明の第１の実施の形態について図面を参照して説明する。ここでは、撮像機能がついた代表的なモバイル機器であるデジタルカメラへの応用を想定している。  
図１は撮像装置（以下、本装置と称する）１０のブロック構成図を示す。この本装置１０は、例えばカメラ等であって、予め設定された撮像範囲を有する撮像部２を有する。本装置１０は、被写体を撮像範囲内に導くための指標、例えばユーザ（撮影者）の指等の指標が撮像部２の撮像範囲内に入ったか否かを判定し、指標が撮像部２の撮像範囲内に入ったことが判定されると、当該判定の旨を振動又は音声等により報知する。なお、本装置１０は、カメラに適用した場合について説明するが、カメラに限らず、携帯電話機やスマートフォン（商標登録）などの被写体を撮像する機能を有するものに適用可能である。  
本装置１０により被写体を撮像する場合、ユーザは、本装置１０を例えば左手で把持し、本装置１０の撮像範囲内に被写体を入れるように当該本装置１０を被写体の存在する方向に向け、被写体が撮像範囲内に入ったところでシャッタを押し操作することにより被写体の撮像が行われる。  
本装置１０では、被写体を撮像範囲内に導くために、本装置１０を例えば左手で把持した状態で、例えば右手の指を本装置１０と被写体との間の撮像範囲内に配置し、右手の指を被写体が撮像範囲内に入るための指標とする。なお、本装置１０を例えば右手で把持した状態で、例えば左手の指を本装置１０と被写体との間の撮像範囲内に配置し、同左手の指を被写体が撮像範囲内に入るための指標とすることでも同様である。
【００１４】
すなわち、ユーザは、図２に示すように左手ＨＬで本装置１０を把持すると共に、同左手ＨＬで撮影光学系２１を操作して例えば鳥類の被写体Ｑに対してピントを合わせる。なお、被写体Ｑは、鳥類に限らず、花、風景、人物、構築物、車両などのあらゆるものを対象とするもので、ここでは一例として鳥類を挙げて説明する。  
この状態に、例えばユーザは、本装置１０と鳥類の被写体Ｑとの間の撮像範囲内に右手の指ＨＲを侵入させ、同右手の指ＨＲを本装置１０の撮像範囲内に鳥類の被写体Ｑが入るであろうところに配置することにより、本装置１０の撮像範囲内に鳥類の被写体Ｑを入れさせるものとなる。又は、ユーザは、先に、右手の指ＨＲを本装置１０の撮像範囲内に鳥類の被写体Ｑが入るであろうところに配置し、この後に、本装置１０を右手の指ＨＲを通して鳥類の被写体Ｑが撮像範囲内に入るように配置してもよい。
【００１５】
このとき本装置１０は、鳥類の被写体Ｑと共に右手の指ＨＲを撮像することになるので、表示部８である背面モニタ（以下、背面モニタ８とする）には、例えば鳥類の被写体Ｑと共に右手の指ＨＲを撮像したスルー画像Ｄ１が表示される。本装置１０は、撮像範囲内に右手の指ＨＲが入ったことを判定すると、この旨を振動により報知する。この振動は、例えば図２に示すように本装置１０の撮影光学系２１においてに発生する。なお、右手の指ＨＲは、スルー画像Ｄ１中でも便宜上、符号ＨＲを用いて示す。
【００１６】
図３はユーザＵにより撮影を行う周囲環境が暗い状況を示す。この状況であれば、本装置１０は、例えばスポット光等のような微弱な光Ｆを前方に照射し、例えば右手の指ＨＲを照明する。この微弱な光Ｆの照明により背面モニタ８には、上記同様に、例えば鳥類の被写体Ｑと共に右手の指ＨＲを撮像したスルー画像Ｄ１が表示される。本装置１０は、撮像範囲内に右手の指ＨＲが入ったことを判定して振動を発生する。
【００１７】
本装置１０において振動の発生する箇所は、撮像範囲内に入る右手の指ＨＲの方向に対応する。例えば図４では背面モニタ８に表示される画像の右縁から右手の指ＨＲが入り込んでいる。この場合、振動は、図５に示すように右手の指ＨＲが入り込んだ右縁と同じく本装置１０における撮影光学系２１の右側において発生するのがよい。なお、右手の指ＨＲが右縁から入り込んだ場合でも、振動は、本装置１０における撮影光学系２１の左右側でそれぞれ発生してもよい。  
図６では背面モニタ８に表示される画像の上縁から右手の指ＨＲが入り込んでいる。この場合、振動は、図７に示すように右手の指ＨＲが入り込んだ上縁と同じく本装置１０における撮影光学系２１の上側において発生するのがよい。なお、右手の指ＨＲが上縁入り込んだ場合でも、振動は、本装置１０における撮影光学系２１の上下側でそれぞれ発生してもよい。
【００１８】
又、振動は、撮影光学系２１の左右上下側でそれぞれ発生するに限らず、図８に示すように本装置１０の上側で発生させたり、図９に示すように本装置１０の下側で発生してもよい。もちろん振動は、本装置１０の上下側の両方でそれぞれ発生してもよい。これら図８及び図９はユーザの左手によって本装置１０を把持し、かつこの把持では、背面モニタ８上のタッチパネル３６にタッチしている状態である。このように背面モニタ８上のタッチパネル３６にタッチしている状態は、例えばタッチパネル３６に対してタッチしている面積（背面タッチ面積）が予め設定された背面タッチ面積、例えば１ｃｍ２以上であるか否かで判定する。
【００１９】
以下、具体的な構成について説明する。  
本装置１０は、撮像系２０を備える。なお、本装置１０において撮像系２０を除いた部分は、本装置１０の本体とする。撮像系２０は、円筒状に形成され、撮像装置１０に一体的に設けられているか、又は撮像装置１０に着脱可能な構成のいずれであってもよい。この撮像系２０は、撮影光学系２１と、発光部２２と、タッチパネル２３と、振動部材２４と、印加部２５とを有する。  
撮影光学系２１は、被写体の像を撮像部２に導くもので、撮影レンズやフォーカスレンズ、ズームレンズ、シャッタ、絞り等から成る。  
発光部２２は、被写体Ｑの撮像時に補助光を照射するもので、発光することにより被写体Ｑ、例えば鳥類の被写体Ｑに照明を行う。
【００２０】
タッチパネル２３は、例えばユーザの右手の指ＨＲ等が撮像系２０にタッチすると、当該タッチにより押圧された部分を検出してそのタッチ位置を示すタッチ位置信号を出力する。又、タッチパネル２３は、例えばユーザの右手の指ＨＲ等がスライドしながら撮像系２０にタッチすると、当該スライドにより移動する押圧部分を検出してそのスライドするタッチ位置を示すタッチ位置信号を出力する。このタッチパネル２３は、例えば撮像系２０の撮影レンズやフォーカスレンズ、ズームレンズ、シャッタ、絞り等をマニュアル操作するときに当該撮像系２０にタッチした位置を検出する。このタッチパネル２３は、例えば振動部材２４の下層側に設けられる。
【００２１】
振動部材２４は、振動を発生するもので、上記の通り、例えばユーザの右手の指ＨＲ等の指標が撮像部２の撮像範囲内に入ったことが判定されたときに、当該判定の旨を振動により報知する。この振動部材２４は、例えば図１及び図５等に示すようにリング状に形成され、円筒形状の撮像系２０の外周面に設けられている。この振動部材２４は、印加部２５が接続され、この印加部２５から印加される電圧信号に応じて振動を発生する。
【００２２】
図１０は振動部材２４の構成図を示す。この振動部材２４は、圧電部材から成る複数の圧電シートを複数積層して成る圧電素子層２４ａと、この圧電素子層２４ａを介して対向配置された微小電極２４ｂと可撓性電極２４ｃとを有する。この圧電素子層２４ａの各圧電シートは、電圧印加により例えば収縮し、電圧印加が無くなることにより収縮が元に戻る。微小電極群２４ｂは、例えば複数の微小な電極を２次元平面上（縦横方向）に配列している成り、これら微小電極間はそれぞれ電気的に絶縁されている。可撓性電極２４ｃは、平板状に形成されている。なお、この振動部材２４の下層側には、タッチパネル２３が設けられているが、これに限らず、圧電素子層２４ａ内に配置してもよい。なお、タッチパネル２３は、振動部材２４の下層側に設けられているが、圧電素子層２４ａの各圧電シートの間に設けてもよい。
【００２３】
印加部２５は、画像処理・制御部１００から送られてくる振動の位置を含む振動指示を受け、この振動指示に従って振動部材２４における微小電極群２４ｂの各微小電極のうち電圧信号を印加する微小電極を選択し、この選択した微小電極に電圧信号を印加し、当該微小電極に対応する圧電素子層２４ａの部分に振動を発生させる。  
図１１は印加部２５の構成図を示す。この印加部２５は、複数の定電圧源、ここでは４つの定電圧源２６−１〜２６−４を備える。これら定電圧源２６−１〜２６−４の各出力端には、それぞれ複数のスイッチから成るスイッチ群、ここでは第１のスイッチ群の各スイッチ２７−１〜２７−４（以下、第１のスイッチ群２７−１〜２７−４と称する）と第２のスイッチ群の各スイッチ２８−１〜２８−４（以下、第２のスイッチ群２８−１〜２８−４と称する）とが並列接続されている。
【００２４】
第１のスイッチ群２７−１〜２７−４は、２次元平面上（縦横方向）に配列された微小電極群２４ｂの各微小電極の縦位置に対応し、かつ第２のスイッチ群２８−１〜２８−４は、同微小電極群２４ｂの各微小電極の横位置に対応するので、第１のスイッチ群２７−１〜２７−４と第２のスイッチ群２８−１〜２８−４とを選択的にオンすることにより、圧電素子層２４ａにおいて電圧を印加して変位を生じさせる縦横位置の部位を選択できる。
【００２５】
この第１のスイッチ群２７−１〜２７−４には、第１のスイッチ制御部２９−１が設けられている。この第１のスイッチ制御部２９−１は、第１のスイッチ群２７−１〜２７−４をオンオフ制御する。同様に、第２のスイッチ群２８−１〜２８−４には、第２のスイッチ制御部２９−２が設けられている。この第２のスイッチ制御部２９−２は、第２のスイッチ群２８−１〜２８−４をオンオフ制御する。
【００２６】
第１のスイッチ制御部２９−１と第２のスイッチ制御部２９−２とには、デコーダ２９−３が接続されている。このデコーダ２９−３は、画像処理・制御部１００から送られてくる振動指示を受け、この振動指示をデコードして振動位置（微小電極群２４ｂの縦横位置）を示すスイッチ制御信号を第１のスイッチ制御部２９−１と第２のスイッチ制御部２９−２とに送る。これら第１のスイッチ制御部２９−１と第２のスイッチ制御部２９−２とは、それぞれスイッチ制御信号に従ってスイッチ群２７−１〜２７−４とスイッチ群２８−１〜２８−４とをそれぞれオン・オフする。これにより、画像処理・制御部１００から送られてくる振動指示に従った縦横位置の微小電極には、定電圧源２６−１〜２６−４のいずれかから定電圧が断続的に印加され、当該定電圧が印加された微小電極に対応する圧電素子層２４ａの部分には振動が発生する。
【００２７】
画像処理・制御部１００は、コンピュータにより成るもので、本装置１０における撮影光学系２１の撮影レンズやフォーカスレンズ、ズームレンズ、絞り等を動作制御して鳥類の被写体Ｑのスルー画像Ｄ１を背面モニタ８に表示し、レリーズボタンの全押しオンにより鳥類の被写体Ｑを撮像してその画像データを取得するという一連の撮像動作を行う。すなわち、画像処理・制御部１００は、静止又は動画の撮像時に、撮像部２から出力される画像信号を入力し、この画像信号に対して画像処理を行い、静止又は動画の画像データを取得する。この画像処理・制御部１００は、静止又は動画を撮像する際に、コントラストＡＦ処理や、ＡＥ処理を行う。
【００２８】
コントラストＡＦ処理は、撮像部２の撮像により得られた画像データの高周波成分を抽出し、この抽出した高周波成分を積算することによりＡＦ用の合焦評価値を取得し、この合焦評価値に従って画像データのコントラストを評価しながら撮影光学系２１のフォーカスレンズを被写体に対して合焦状態となるようにピントを合わせする（オートフォーカス：ＡＦ）。  
ＡＥ処理は、撮像部２の撮像により得られた画像データを用いて被写体の輝度を算出し、この被写体の輝度に従って露光時の絞りの開口量（絞り値）、シャッタの開放時間（シャッタ速度値）を算出する。  
この画像処理・制御部１００は、撮像部２の撮像により得られた画像データに対する各種の画像処理を行う。この画像処理は、例えば色補正処理、ガンマ（γ）補正処理、圧縮処理、この圧縮されている画像データに対する伸張処理である。
【００２９】
この画像処理・制御部１００には、撮像部２と、背面モニタ８と、操作判定部３０と、アンセンサ３１と、接眼式の電子ビューファインダ（ＥＶＦ）である接眼表示部（以下、ＥＶＦと称する）３２と、記録部３３と、振動部材３４と、印加部３５と、タッチパネル３６と、時計３７と、発音部３８とが接続されている。
【００３０】
撮像部２は、撮影光学系２１を介して入射する被写体像を受光し、この被写体像に応じた画像信号を出力する。この撮像部２は、受光面を有し、この受光面に撮影光学系２１を介して集光された被写体からの光束が結像される。この撮像部２の受光面は、複数の画素を２次元状に配置して成る。この撮像部２の受光面の光入射側には、カラーフィルタが設けられている。この撮像部２は、受光面に結像された光束に対応した被写体像をその光量に応じた電気信号に変換する。この撮像部２は、例えばＣＣＤ方式又はＣＭＯＳ方式等の種々の構成のものが知られている。カラーフィルタの色配列は、例えばベイヤ配列等の種々の配列が知られている。この撮像部２は、その構成が特定の構成に限定されるものではなく、種々の構成の撮像素子を用いることが可能である。
【００３１】
背面モニタ８は、本装置１０の背面に設けられ、例えば液晶ディスプレイ（以下、ＬＣＤと称する）とそのＬＣＤ駆動部とを有し、スルー画像Ｄ１用の画像及び記録部３３に記録された静止画や動画の画像データを表示する。  
この背面モニタ８の表示画面上には、図示しないタッチパネル３６が一体的に設けられている。このタッチパネル３６は、ユーザの指等がタッチしたことを検出してそのタッチ位置を示すタッチ位置信号を出力する。
【００３２】
操作判定部３０は、ユーザによって操作される各種の操作部材を有する。この操作判定部３０は、操作部材として例えば、レリーズボタン、動画釦、モードダイヤル、選択キー、電源釦等を備える。レリーズボタンは、１ｓｔレリーズスイッチと、２ｎｄレリーズスイッチとを有する。１ｓｔレリーズスイッチは、ユーザがレリーズ釦を半押しするとオンする。１ｓｔレリーズスイッチがオンすることにより、画像処理・制御部１００は、ＡＦ処理等の撮影準備動作を行う。２ｎｄレリーズスイッチは、ユーザがレリーズ釦を全押しするとオンする。２ｎｄレリーズスイッチがオンすることにより、画像処理・制御部１００は、静止画撮影用の露光動作を行う。本装置１０は、静止画の前後の動画を撮影して、後で使うことを想定しているので、レリーズ釦半押しで動画を撮影するような仕様にしてもよい。もちろん、スルー画像Ｄ１の表示中、すべて動画撮影していてもよい。
【００３３】
動画釦は、基本的に動画撮影の開始又は終了を指示するための操作部材である。ユーザによって動画釦が押されると動画撮影処理が開始される。また、動画撮影処理の実行中に動画釦が押されると、動画撮影処理が終了される。
モードダイヤルは、本装置１０の撮影設定を選択するための操作部材である。本実施形態では、本装置１０の撮影設定として、例えば、撮影モードや、絞り優先やシャッタスピード優先などの露出モードなどの設定も可能である。  
選択キーは、例えばメニュー画面上での項目の選択や決定をするための操作部材である。ユーザによって選択キーが操作されるとメニュー画面上での項目の選択や決定が行われる。  
電源釦は、本装置１０の電源をオン又はオフするための操作部材である。ユーザによって電源釦が操作されると、本装置１０が起動して動作可能な状態となる。本装置１０が起動している間に電源釦が操作されると、本装置１０が省電力待機状態となる。
【００３４】
アイセンサ３１は、本装置１０の背面に設けられ、ＥＶＦ３２に対してユーザがファインダを覗いているか否かを判定する。  
記録部３３は、例えばＲＯＭ、ＲＡＭ、又は例えばメモリカードを有する。ＲＯＭには、本装置１０の静止画や動画の撮像動作を制御するための撮像制御プログラムや、静止画や動画を再生するための再生プログラム、本装置１０の操作装置用プログラムなどが保存されている。ＲＡＭには、被写体の動画や、静止画、さらに動画中から選択された画像などの処理途中のデータが仮記憶される。メモリカードは、画像処理・制御部１００の制御によって、本装置の静止画や動画の撮像動作により取得された静止画や動画の各データを記憶する。
【００３５】
操作装置用プログラムは、画像処理・制御部１００のコンピュータに、撮像部２の撮像範囲内の被写体を撮像させる撮像機能と、被写体を撮像範囲内に導くための指標が少なくとも撮像範囲内に入ったか否かを判定させる指標判定機能と、指標判定機能により指標が少なくとも撮像範囲内に入ったことを判定すると、当該判定の旨を報知させる報知機能とを実現させる。  
指標は、少なくとも１本の指部を含む。  
指標判定機能は、撮像部２から出力される画像データから先端部を有する連続する形状が複数本認識されるか否かの判定、又は画像データから先端部を有する連続する形状の色が指部に特有の色であるか否かの判定のうちいずれか一方又は両方に基づいて少なくとも指部を認識させることを実現させる。
【００３６】
振動部材３４は、本装置１０の本体において振動を発生するもので、上記の通り、例えばユーザの右手の指ＨＲ等の指標が撮像部２の撮像範囲内に入ったことが判定されたときに、当該判定の旨を振動により報知する。この振動部材３４は、本装置１０の本体上側や、本装置１０の本体下側に設けられ、上記図８に示すように本装置１０の本体上側において振動を発生したり、図９に示すように本装置１０の本体下側で振動を発生する。この振動部材３４は、本装置１０の本体上側や下側にだけでなく、同本体の左右側にもそれぞれ設けられる。
【００３７】
この振動部材３４は、上記図１０に示す振動部材２４と同一構成で、同一の動作を行う。この振動部材３４は、当該振動部材２４と同一符号を用いてその詳細な構成を省略して説明すると、圧電部材から成る複数の圧電シートを複数積層して成る圧電素子層２４ａと、この圧電素子層２４ａを介して対向配置された微小電極２４ｂと可撓性電極２４ｃとを有する。
【００３８】
印加部３５は、図１１に示す印加部２５と同一構成であり、当該振動部材２４と同一符号を用いてその詳細な構成を省略して説明すると、画像処理・制御部１００から送られてくる振動の位置を含む振動指示を受け、この振動指示に従って振動部材３４における微小電極群２４ｂの各微小電極のうち電圧信号を印加する微小電極を選択し、この選択した微小電極に電圧信号を印加して当該微小電極に対応する圧電素子層２４ａの部分に振動を発生させる。  
時計３７は、年月日及び時刻を経時する。
【００３９】
発音部３８は、スピーカ等の鳴動を発するもので、上記図２に示すように例えばユーザの右手の指ＨＲ等の指標が撮像部２の撮像範囲内に入ったことが判定されたときに、当該判定の旨を音声により報知するものである。この発音部３８は、例えば画像処理・制御部１００から出力される音声信号を音声に変換出力する。この音声の内容は、例えばユーザの右手の指ＨＲ等の指標が撮像部２の撮像範囲内に入ったことを知らせるものであればよく、例えば所定周波数の音声を連続的又は断続的に発生したり、音声「被写体が入りました」を発生してもよい。  
なお、ユーザの右手の指ＨＲ等の指標が撮像部２の撮像範囲内に入ったことを知らせるのは、振動部材２４、３４による振動の発生と、発音部３８による音声の発生との両方又はいずれか一方で行ってもよい。
【００４０】
画像処理・制御部１００は、ＲＯＭに記憶されている操作装置用プログラムを実行し、撮像部２の撮像範囲内の鳥類の被写体Ｑを撮像させ、この鳥類の被写体Ｑを撮像範囲内に導くためのユーザの右手の指ＨＲ等の指標が少なくとも撮像範囲内に入ったか否かを判定し、ユーザの右手の指ＨＲ等の指標が撮像範囲内に入ったことを判定すると、当該判定の旨を振動部材２４、３４又は発音部３８のいずれか一方又は両方で報知させるもので、撮影者がこの操作装置を対象物に向かって（片手で、あるいは身体につけて）構えて別の手の指を突き出すと、撮像範囲外から指が突き出されるようになるので、これを利用して撮像範囲外からの画像データ変化からユーザの指部を認識する指標判定部１０１（これは、指に限らず特定の指標の像とする）と、対象物の画像の状態（濃淡変化や色変化、その方向や輪郭の方向など画像変化や画像に関連する情報の変化、輪郭など領域の境界部）や撮像範囲の縁部を分析、判定して特定の画像部を判定する（これは、前記撮像範囲内の所定画像部分を検出する）所定画像検出部１０２と、タッチ位置判定部１０３と、表示制御部１０４と、判定・制御部１０５との機能を有する。なお、判定・制御部１０５が前記振動印加部２５、３５や前記発音部３８を制御して報知部が構成される。
【００４１】
指標判定部１０１は、鳥類の被写体Ｑを本装置１０の撮像範囲内に導くためのユーザの右手の指ＨＲ等の指標が撮像範囲内に入ったか否かを判定する。ここで、指標は、撮影者がこの操作装置を対象物に向かって（例えば、片手で、あるいは身体につけて）構えて別の手の指を突き出すと、撮像範囲外から指が突き出されるようになるので、この像変化や像形状を利用して撮像範囲外（外から中に入る縁部は所定画像判定部１０２で判定）からの画像データ変化からユーザの指部を認識する。つまり、所定画像部に指部画像が重なるかで判定する。つまり、先に検出されていた所定画像部（縁部）のあった座標等の撮像結果に新たに指標の画像の座標が接したり重なる状態等で判定可能である。また、指は、棒状に形成されているもので、少なくとも１本の棒状部を含む判定でもよい。ここでは、ユーザの右手の指ＨＲ等であるが、ペンや差し棒でもよく「指標」とも表現できる。この指標は、例えば指揮棒や身近にある鉛筆等のような棒状のものであればよく、複数本とすると分かり易い。
【００４２】
この指標判定部１０１は、撮像部２の撮像により取得される画像データからユーザの右手の指ＨＲ等を認識し、当該認識されたユーザの右手の指ＨＲ等が撮像範囲内に入ったか否かを判定する。  
この指標判定部１０１は、撮影者がこの操作装置を対象物に向かって（片手で、あるいは身体につけて）構えて別の手の指を突き出すと、撮像範囲外から指が突き出されるようになるので、これを利用して撮像範囲外からの画像データ変化や画像の形状からユーザの指部を認識する。また、ユーザの右手の指ＨＲの判定を次の通り行ってもよい。指標判定部１０１は、撮像部２の撮像により取得される画像データの濃淡レベルの変化から先端部を有する連続する形状の領域、すなわち指に対応する形状が複数本認識されるか否かの判定し、当該先端部を有する連続する形状が複数本認識されると、当該画像の部分を例えばユーザの右手の指ＨＲとして認識してもよい。ここで認識されるものは、指でも鉛筆やペン、差し棒でも良いので、「特定の指標の像」と言い換えることが出来る。
【００４３】
この指標判定部１０１は、撮影者がこの操作装置を対象物に向かって（片手で、あるいは身体につけて）構えて別の手の指を突き出すと、撮像範囲外から指が突き出されるようになるので、これを利用して撮像範囲外からの画像データ変化からユーザの指部を認識する。または、画像データの濃淡レベルの変化から例えばユーザの右手の指ＨＲが入ってくる撮像範囲の縁部、すなわち画像データの左右側、上下側のいずれかであるのか、さらに詳細には画像データの左側、右側、上側、又は下側のいずれかであるのかを判定する。
【００４４】
この判定では、図２に示すように左手ＨＬで本装置１０を把持すると共に、同左手ＨＬで撮影光学系２１を操作して例えば鳥類の被写体Ｑに対してピントを合わせる状態であれば、指標判定部１０１は、図５に示すように右手の指ＨＲが入り込んだ右縁と同じく本装置１０における撮影光学系２１の右側において発生することを判定する。また、撮影者がこの操作装置を対象物に向かって（片手で、あるいは身体につけて）構えて別の手の指を突き出すと、撮像範囲外から指が突き出されるようになるので、これを利用して撮像範囲外からの画像データ変化からユーザの指部を認識してもよい。  
又、図８に示すようにユーザの左手によって本装置１０を把持し、かつこの把持では、背面モニタ８上のタッチパネル３６にタッチしている状態で例えば鳥類の被写体Ｑに対してピントを合わせる状態であれば、指標判定部１０１は、同図に示すように本装置１０の上側で振動を発生させたり、図９に示すように本装置１０の下側で振動を発生することを判定する。
【００４５】
判定・制御部１０５は、指標判定部１０１により例えばユーザの右手の指ＨＲが撮像範囲内（この範囲は所定画像検出部１０２で検出）に入ったことが判定されると、報知部により当該判定の旨を振動部材２４、３４による振動の発生と、発音部３８による音声の発生とのいずれか一方又は両方で報知する。  
具体的に、判定・制御部１０５は、画像データの縁部において例えばユーザの右手の指ＨＲが入ってくる画像データの縁部の箇所（この範囲は所定画像検出部１０２で検出）に対応する当該本装置１０の本体の箇所、例えば図４に示すようにユーザの右手の指ＨＲが画像データの縁部の左右側のいずれかの側から入ってくれば、図５に示すように本装置１０の本体の左右の両側において、ユーザの右手の指ＨＲが撮像範囲内に入ったことの旨を報知部によって、振動部材２４、３４による振動の発生と、発音部３８による音声の発生とのいずれか一方又は両方で報知する。
【００４６】
又、図６に示すようにユーザの右手の指ＨＲが画像データの縁部の上下側のいずれかの側から入ってくれば、図７に示すように本装置１０の本体の上下の両側において、ユーザの右手の指ＨＲが撮像範囲内に入ったことの旨を振動部材２４、３４による振動の発生と、発音部３８による音声の発生とのいずれか一方又は両方で報知する。
【００４７】
この場合、図２に示すように左手ＨＬで本装置１０を把持すると共に、同左手ＨＬで撮影光学系２１を操作して例えば鳥類の被写体Ｑに対してピントを合わせる状態であれば、判定・制御部１０５は、それを判定、報知部、つまり判定・制御部１０５が振動印加部２５、３５や発音部３８を制御して機能部位を構成する報知部を利用し、撮影光学系２１側の印加部２５に対して当該撮影光学系２１の上下側の振動指示を送出し、例えば図７に示すように本装置１０における撮影光学系２１の上下側において振動を発生する。  
又、図８に示すようにユーザの左手によって本装置１０を把持し、かつこの把持では、背面モニタ８上のタッチパネル３６にタッチしている状態で例えば鳥類の被写体Ｑに対してピントを合わせる状態であれば、判定・制御部１０５は、それを判定、報知部、つまり判定・制御部１０５が、振動印加部２５、３５や発音部３８を制御して機能部位を構成する報知部を利用し、本装置１０の本体の印加部３５に対して当該本装置１０の本体の上下側の振動指示を送出し、例えば図８又は図９に示すように本装置１０の本体の上下側において振動を発生する。
【００４８】
タッチ位置判定部１０３は、タッチパネル２３から出力されるタッチ位置信号を入力し、このタッチ位置信号からタッチパネル２３に対してタッチした部分の座標を判定する。又、タッチ位置判定部１０３は、スライドするタッチ位置を示すタッチ位置信号を入力すると、このタッチ位置信号からタッチパネル２３に対してスライド移動するタッチした部分の座標を逐次判定する。  
表示制御部１０４は、背面モニタ８と、アンセンサ３１と、ＥＶＦ３２との表示制御を行う。
【００４９】
判定・制御部１０５は、操作装置用プログラムの実行に伴って指標判定部１０１と、判定・制御部１０５と、タッチ位置判定部１０３と、表示制御部１０４と、判定・制御部１０５とを統括的に制御し、かつ報知部（判定・制御部１０５が振動印加部２５、３５や発音部３８を制御して成る）から発せられる振動発生又は音声発生の旨の指令を各印加部２５、３５や発音部３８にそれぞれ送る。  
この判定・制御部１０５は、タッチ位置判定部１０３により判定されたタッチ部分の座標を受け、このタッチ部分の座標に対応する振動部材２４又は振動部材３４の部分において振動を発生させる旨の指令を各印加部２５、３５に送り、又は音声発生の旨の指令を発音部３８に送る。図１２はユーザの右手の指ＨＲによるタッチ部分の座標に対応する振動部材２４又は振動部材３４の部分において振動が発生している状態を示す。  
又、判定・制御部１０５は、タッチ位置判定部１０３により判定されたタッチ部分がスライド移動していると、図１３に示すようにスライド移動するタッチ部分の座標に対応する振動部材２４又は振動部材３４の部分において振動する部分をスライド移動して発生させる旨の指令を各印加部２５、３５に送る。タッチ部分がスライド移動している場合、判定・制御部１０５は、当該スライド移動するタッチ部分に対応する振動部材２４又は振動部材３４において圧電素子層２４ａを圧縮するものとなる。これにより、振動部材２４又は振動部材３４では、圧電素子層２４ａが圧縮して凹んだ部分がスライド移動するものとなる。
【００５０】
又、判定・制御部１０５は、タッチ位置判定部１０３により判定されたタッチ部分のスライド移動する座標からスライド移動する方向を判定し、図１４に示すようにスライド移動するタッチ部分のスライド移動先に振動部材２４又は振動部材３４において凹んだ部分を発生させることが可能である。
【００５１】
次に、上記の如く構成された装置の動作について図１５に示す操作装置用フローチャートに従って説明する。  
画像処理・制御部１００は、ステップＳ１０１において、操作判定部３０のモードダイヤルの設定から撮影モードであるか否かを判定する。この判定の結果、撮影モードであれば、画像処理・制御部１００は、ステップＳ１０２において、撮像部２から出力される鳥類の被写体Ｑの被写体像に応じた画像信号を入力し、この画像信号に対して画像処理を行い、静止又は動画の画像データを取得する。表示制御部１０４は、取得された静止又は動画の画像データをスルー画像Ｄ１として背面モニタ８に表示する。このスルー画像Ｄ１の表示時、鳥類の被写体Ｑを撮像する周囲環境が予め設定された明るさよりも暗ければ、画像処理・制御部１００は、発光部２２に対して発光指令を送出して、当該発光部２２から補助光を間欠的に照射し、例えば鳥類の被写体Ｑに照明を行うようにしてもよい。
【００５２】
画像処理・制御部１００は、ステップＳ１０３において、アイセンサ３１から出力されるセンサ信号を入力し、ユーザがＥＶＦ３２を覗いているか否かを判定し、この判定の結果、ＥＶＦ３２を覗いていなければ、ステップＳ１０４において、上記の如く背面モニタ８をオンして当該背面モニタ８にスルー画像Ｄ１を表示し、ＥＶＦ３２をオフとする。なお、ユーザがＥＶＦ３２を覗いていれば、画像処理・制御部１００は、ステップＳ１０５において、背面モニタ８をオフし、ＥＶＦ３２をオンとして当該ＥＶＦ３２にスルー画像Ｄ１を表示する。
【００５３】
画像処理・制御部１００は、ステップＳ１０６において、背面モニタ８上のタッチパネル３６に対してユーザがタッチしたときに撮像を行うタッチレリーズに設定されているか否かを判定し、この判定の結果、タッチレリーズに設定されていれば、ステップＳ１０８において、背面モニタ８上のタッチパネル３６に対してユーザがタッチしたことを検出すると、このタッチ検出時に、例えば鳥類の被写体Ｑの撮影を行い、その画像データを記録部３３に記録する。
【００５４】
一方、タッチレリーズに設定されていなければ、画像処理・制御部１００の指標判定部１０１は、ステップＳ１０７において、本装置１０の撮像範囲、例えばスルー画像Ｄ１の縁部に変化、すなわちスルー画像Ｄ１の縁部の濃淡レベルに変化が有るか否かを判定する。この判定は、上記の如く、ユーザが上記図２に示すように左手ＨＬで本装置１０を把持すると共に、同左手ＨＬで撮影光学系２１を操作して例えば鳥類の被写体Ｑに対してピントを合わせて撮像を行う状態に、本装置１０と鳥類の被写体Ｑとの間の撮像範囲内にユーザの右手の指ＨＲを侵入させ、同右手の指ＨＲを本装置１０の撮像範囲内に鳥類の被写体Ｑが入るであろうところに配置し、本装置１０の撮像範囲内に鳥類の被写体Ｑを入れさせることを行い始めていることを判定する。この状態では、画面外から、細長い棒状のものが画面内に侵入することを検出しても良い。
【００５５】
この判定の結果、スルー画像Ｄ１の縁部に濃淡レベルの変化が有れば、指標判定部１０１は、ステップＳ１１１において、撮影者がこの操作装置を対象物に向かって（片手で、あるいは身体につけて）構えて別の手の指を突き出すと、撮像範囲外から指が突き出されるようになるので、これを利用して撮像範囲外からの画像データ変化からユーザの指部を認識する。また、画像データの濃淡レベルの変化から先端部を有し、かつスルー画像Ｄ１の縁部から連続する棒状の形状の領域で、さらに当該棒状の形状の領域の進行方向がスルー画像Ｄ１の中央部に向かっているか否かを判定する。この判定では、濃淡レベルが変化を開始したスルー画像Ｄ１の縁部から連続して棒状の形状になることを判定する。すなわち、本装置１０の撮像範囲内に例えばユーザの右手の指ＨＲが入ったか否かを判定する。
【００５６】
この判定の結果、スルー画像Ｄ１の縁部から連続し、棒状の形状になる濃淡レベルの変化が有れば、指標判定部１０１は、ステップＳ１１２において、当該棒状の形状になる濃淡レベルの変化が複数領域現れたか否か、または、撮像範囲外からの画像データ変化からユーザの指部を認識する。上記図２、図３に示すように本装置１０の撮像範囲内に例えばユーザの右手の複数の指ＨＲが入ったか否かを判定してもよい。これらの判定は、どれかでも、複数組み合わせてもよい。  
この判定の結果、例えばユーザの右手の複数の指ＨＲが入っていれば、あるいは、撮像範囲外からの画像データ変化からユーザの指部を認識する。また、指標判定部１０１は、ステップＳ１１３において、背面モニタ８上のタッチパネル３６に対してユーザがタッチし、このタッチしている面積（背面タッチ面積）が予め設定された背面タッチ面積、例えば１ｃｍ２以上であるか否かを判定する。
【００５７】
この判定の結果、背面タッチ面積が予め設定された背面タッチ面積以下であれば、画像処理・制御部１００は、上記図２に示すように、ユーザが左手ＨＬで本装置１０を把持すると共に、同左手ＨＬで撮影光学系２１を操作して例えば鳥類の被写体Ｑに対してピントを合わせる状態であることを判定する。そして、指標判定部１０１は、ステップＳ１１４において、スルー画像Ｄ１の左右側の縁部からユーザの右手の複数の指ＨＲが入ったかを判定する。
【００５８】
この判定の結果、上記図４に示すようにスルー画像Ｄ１の左右側の縁部からユーザの右手の複数の指ＨＲが入ったことを判定すると、指標判定部１０１は、ステップＳ１１５において、図５に示すように撮像系２０の左右の両側において、ユーザの右手の指ＨＲが撮像範囲内に入ったことの旨を印加部２５に送る。また、撮像範囲外からの画像データ変化からユーザの指部を認識するような判定でもよい。この印加部２５は、撮像系２０の外周面に設けられている振動部材２４の左右の両側に対応する部分に電圧信号を印加するので、当該振動部材２４には、撮像系２０の外周の左右に対応する各部分に振動が発生する。
【００５９】
又、判定の結果、上記図６に示すようにスルー画像Ｄ１の上側の縁部からユーザの右手の複数の指ＨＲが入ったことを判定すると、指標判定部１０１は、ステップＳ１１６において、図７に示すように撮像系２０の上下の両側において、ユーザの右手の指ＨＲが撮像範囲内に入ったことの旨を印加部２５に送る。これは、操作者がこの操作装置を対象物に向かって（例えば、片手で、あるいは身体につけて）構えて別の手の指を突き出すと、撮像範囲外から指が突き出されるようになるので、これを利用して撮像範囲外からの画像データ変化からユーザの指部を認識する。また、この印加部２５は、撮像系２０の外周面に設けられている振動部材２４の上下の両側に対応する部分に電圧信号を印加するので、当該振動部材２４には、撮像系２０の外周の上下に対応する各部分に振動が発生する。
【００６０】
上記ステップＳ１１３での判定の結果、背面タッチ面積が予め設定された背面タッチ面積以上であれば、画像処理・制御部１００は、図８又は図９に示すようにユーザの左手によって本装置１０を把持し、かつこの把持では、背面モニタ８上のタッチパネル３６にタッチしている状態で例えば鳥類の被写体Ｑに対してピントを合わせる状態であると判定する。
【００６１】
指標判定部１０１は、ステップＳ１２１において、スルー画像Ｄ１の上側又は下側の縁部のいずれか側からユーザの右手の複数の指ＨＲが入ったかを判定する。操作者がこの操作装置を対象物に向かって（例えば、片手で、あるいは身体につけて）構えて別の手の指を突き出すと、撮像範囲外から指が突き出されるようになるので、これを利用して撮像範囲外からの画像データ変化からユーザの指部を認識すてもよい。これは指に限る必要はなく、特定の指標の像と表現してもよい。  
この判定の結果、スルー画像Ｄ１の上側からユーザの右手の複数の指ＨＲが入ったことを判定すると、指標判定部１０１は、ステップＳ１２３において、図８に示すように本装置１０の本体の上側において、ユーザの右手の指ＨＲが撮像範囲内に入ったことの旨を印加部２５に送る。この印加部２５は、本装置１０の本体の上側に設けられている振動部材２４に電圧信号を印加するので、当該本装置１０の本体の上側に振動が発生する。
【００６２】
これに対してスルー画像Ｄ１の下側からユーザの右手の複数の指ＨＲが入ったことを判定すると、指標判定部１０１は、ステップＳ１２４において、本装置１０の本体の下側において、ユーザの右手の指ＨＲが撮像範囲内に入ったことの旨を印加部２５に送る。この印加部２５は、本装置１０の本体の下側に設けられている振動部材２４に電圧信号を印加するので、当該本装置１０の本体の下側に振動が発生する。
【００６３】
又、上記ステップＳ１２１での判定の結果、スルー画像Ｄ１の上側又は下側の縁部のいずれか側からもユーザの右手の複数の指ＨＲが入っていないこと判定すると、指標判定部１０１は、ステップＳ１３１において、スルー画像Ｄ１の左側（この画像の端部やその左右上下は、所定画像検出部１０２で検出する）からユーザの右手の複数の指ＨＲが入ったか否かを判定する。  
この判定の結果、スルー画像Ｄ１の左側からユーザの右手の複数の指ＨＲが入ったことを判定すると、指標判定部１０１は、ステップＳ１３２において、図９に示すように本装置１０の本体の左側において、ユーザの右手の指ＨＲが撮像範囲内に入ったことの旨を印加部２５に送る。この印加部２５は、本装置１０の本体の左側に設けられている振動部材２４に電圧信号を印加するので、当該本装置１０の本体の左側に振動が発生する。
【００６４】
これに対してスルー画像Ｄ１の右側からユーザの右手の複数の指（複数でなくても撮像範囲外からの画像データ変化からユーザの指部を認識してもよい。）ＨＲが入ったことを判定すると、指標判定部（この境界判定は所定画像検出部１０２で検出する）は、ステップＳ１３３において、本装置１０の本体の右側において、ユーザの右手の指ＨＲが撮像範囲内に入ったことの旨を印加部２５に送る。この印加部２５は、本装置１０の本体の右側に設けられている振動部材２４に電圧信号を印加するので、当該本装置１０の本体の右側に振動が発生する。  
このような画面内外の境界は、所定画像検出部１０２で検出できる。このように、境界部は所定座標で判定しても良いし、画像の輪郭などと同様に判定してもよく、この境界部座標に、指標判定部１０１で判定された、指標の画像の座標が接したり重なる状態が判定・制御部１０５で検出できれば、その結果を報知することができる。画像情報の変化部の変化方向（境界に直交する方向）と変化なし方向（境界が続く方向）を判定可能にして、指標先端がどのように接触するかによって、報知結果を変更しても良い。それによって、画面境界をなぞったり探したりが出来る。
【００６５】
この後、画像処理・制御部１００は、ステップＳ１４１において、レリーズが押されて撮像を行うか否かを判定し、レリーズが押されると、このレリーズの押し操作時に、ステップＳ１４２において、例えば鳥類の被写体Ｑの撮影を行い、その画像データを記録部３３に記録する。
【００６６】
なお、画像処理・制御部１００は、ステップＳ１０１において、撮影モードでないと判定すると、ステップＳ１５１において、再生モードであるか否かを判定し、再生モードであれば、ステップＳ１５２において、記録部３３に記録されている画像データを読み出し、この画像データを表示制御部１０４の制御によって背面モニタ８に再生表示する。画像処理・制御部１００は、ステップＳ１５３において、再生する画像データを変更するか否かを判定し、変更の指示が操作判定部３０から入力されると、ステップＳ１５４において、記録部３３から読み出す画像データを変更し、変更した画像データを表示制御部１０４の制御によって背面モニタ８に再生表示する。上記ステップＳ１５１の判定の結果、再生モードでなければ、画像処理・制御部１００は、ステップＳ１５５において、その他の通信等のモードの動作を行う。
【００６７】
このように上記第１の実施の形態によれば、指標判定部１０１によって画像データの濃淡レベルの変化から例えばユーザの右手の指ＨＲが入ってくる撮像範囲の縁部、すなわち画像データの左右側、上下側のいずれか（この画像データの端部や位置は所定画像検出部１０２で検出する）であるのか、さらに詳細には画像データの左側、右側、上側、又は下側のいずれかであるのかを判定し、判定・制御部１０５によって画像データの縁部（この縁部は所定画像検出部１０２で検出）において例えばユーザの右手の指ＨＲが入ってくるのを判定、報知部、つまり判定・制御部１０５が振動印加部２５、３５や発音部３８を制御して機能部位を構成する報知部を利用し、画像データの縁部の箇所に対応する撮影光学系２１、又は本装置１０の本体の箇所、例えば画像データの左側、右側、上側、又は下側のいずれかに対応する撮影光学系２１の左右側や上下側、又は本装置１０の本体の左右側や上下側において報知部の働きとして振動を発生したり、発音部３８により音声を発生する。
【００６８】
これにより、撮像を行う周囲環境が明るい、例えば太陽光が直接背面モニタ８に照射されて当該背面モニタ８の画面上が眩しい状態や、背面モニタ８に表示される画像自体の輝度が高い状態、一方、撮像を行う周囲環境が暗くなり、背面モニタ８に表示される画像も暗い状態や、背面モニタ８に表示される画像自体の輝度が低く状態などで、背面モニタ８に表示される画像を確認することができないような周囲環境下であっても、当該周囲環境の明るさの影響を受けず、背面モニタ８に表示される画像を常に確認していなくても、撮像するチャンスを逃すおそれなく、鳥類等の被写体Ｑが撮像範囲内に入っていることを認識して当該被写体Ｑを撮像することができる。
【００６９】
例えばユーザの右手の指ＨＲが入ってくる撮像範囲の縁部の箇所、例えば画像データの左側、右側、上側、又は下側のいずれかに応じて撮影光学系２１の左右側や上下側、又は本装置１０の本体の左右側や上下側において振動を発生するので、ユーザの右手の指ＨＲが入るのをその方向と共に確認できるので、撮像部２の撮像範囲内に被写体Ｑが入ったことを確信を持って認識できるものとなり、ユーザの右手の指ＨＲが入ってからレリーズボタンを押し操作するタイミングが採り易い。  
撮像部２の撮像範囲内にユーザの右手の指ＨＲが入って当該撮像範囲内に被写体Ｑが入るのは、振動だけでなく、音声によっても行われるので、撮像部２の撮像範囲内に被写体Ｑが入ったことを逃すことが無く、鳥類等の被写体Ｑが撮像範囲内に入っていることを認識して当該被写体Ｑを撮像することができる。
【００７０】
上記図２に示すように、撮影光学系２１を操作するための把持の状態であれば、撮影光学系２１の外周面に設けられている振動部材２４に振動を発生し、又、図８又は図９に示すよう背面モニタ８上のタッチパネル３６にタッチして把持している状態であれば、当該本装置１０の本体に対応する部分に振動を発生するので、ユーザが本装置１０を把持している状態に応じた箇所に振動を発生でき、本装置１０を把持している状態に応じて確実に撮像部２の撮像範囲内に被写体Ｑが入ったことを知らせることができる。
［第２の実施の形態］  
次に、本発明の第２の実施の形態について図面を参照して説明する。なお、本装置１０の構成は、図１に示す構成と略同一であり、その相違するところについて説明する。  
本装置１０の本体の正面左側には、振動部材４０が設けられている。この振動部材４０は、本装置１０の本体の正面左側において振動を発生するもので、上記の通り、例えばユーザの右手の指ＨＲ等の撮像部２の撮像範囲内に入ったことが判定されたときに、当該判定の旨を振動により報知する。この振動部材４０は、上記図１０に示す振動部材２４と同一構成で、同一の動作を行う。この振動部材４０は、上記振動部材２４と同一符号を用いてその詳細な構成を省略して説明すると、圧電部材から成る複数の圧電シートを複数積層して成る圧電素子層２４ａと、この圧電素子層２４ａを介して対向配置された微小電極２４ｂと可撓性電極２４ｃとを有する。
【００７１】
又、本装置１０の本体の裏面右側には、振動部材４１が設けられている。この振動部材４１は、本装置１０の本体の裏面右側において振動を発生するもので、上記の通り、例えばユーザの右手の指ＨＲ等の撮像部２の撮像範囲内に入ったことが判定されたときに、当該判定の旨を振動により報知する。この振動部材４１も、上記図１０に示す振動部材２４と同一構成で、同一の動作を行う。この振動部材４１は、上記振動部材２４と同一符号を用いてその詳細な構成を省略して説明すると、圧電部材から成る複数の圧電シートを複数積層して成る圧電素子層２４ａと、この圧電素子層２４ａを介して対向配置された微小電極２４ｂと可撓性電極２４ｃとを有する。
【００７２】
これら振動部材４０、４１は、本装置１０におけるユーザの手で把持されるところ、すなわち把持部に対応する箇所に設けられる。振動部材４０は、図１６に示すように例えばユーザの右手で本装置１０が把持されるところに設けられている。振動部材４１は、図１７に示すように例えばユーザの右手で把持されると共に、同ユーザの右手でレリーズボタン４３を押し操作する状態で本装置１０が把持されるところに設けられている。
【００７３】
指標判定部１０１は、例えばユーザの右手の指ＨＲ等が撮像範囲内に入るか、又は画像データ内において鳥類等の被写体Ｑ（これは実際の被写体ではなく被写体像が撮像部のデータを所定画像検出部１０２が判定）に接触したことを判定する。  
指標判定部は、画像データから先端部を有する連続する形状を認識するか否かの判定と、画像データから先端部を有する連続する形状の色が例えばユーザの右手の指ＨＲ等に特有の色であるか否かの判定とを行い、先端部を有する連続する形状を認識しかつ先端部を有する連続する形状の色が例えばユーザの右手の指ＨＲ等に特有の色であれば、当該形状の部分を例えばユーザの右手の指ＨＲと認識する。
【００７４】
指標判定部１０１は、例えばユーザの右手の指ＨＲを認識すると、このユーザの右手の指ＨＲの進行方向を判定し、人物等の被写体Ｑ（これは実際の被写体ではなく被写体像が撮像部のデータを所定画像検出部１０２が判定した画像で判定）に接触するか否かを判定する。被写体Ｑが人物の場合、所定画像検出部１０２は、例えば眼部や鼻部、口部の配置位置に基づいて人物の顔部を認識し、かつ顔部よりも下方の人体の輪郭を認識し、ユーザの右手の指ＨＲの進行方向に基づいて当該ユーザの右手の指ＨＲが被写体Ｑである人物の顔部に接触するか、又は顔部よりも下方の人体の輪郭に接触するか否かを判定する。
【００７５】
判定・制御部１０５は、指標判定部により例えばユーザの右手の指ＨＲ等が撮像範囲内に入ったこと、又は例えばユーザの右手の指ＨＲ等が図１７に示すように画像データ中において鳥類等の被写体Ｑ（この撮像範囲やその位置、被写体Ｑなどは所定画像検出部１０２で検出）に接触したことを判定すると、報知部の働きで各振動部材４０、４１のいずれかにおいて振動を発生させる。
【００７６】
判定・制御部１０５は、報知部を利用して例えばユーザの右手の指ＨＲ等が撮像範囲内（この範囲は所定画像検出部１０２で検出）に入ったときの各振動部材４０、４１における第１の振動のパターンＰ１と、画像データ中においてユーザの右手の指ＨＲ等が鳥類や人物等の被写体Ｑ（この被写体Ｑは所定画像検出部１０２で検出）に接触（先に検出されていた所定画像部のあった座標等の撮像結果に新たに指標の画像の座標が接したり重なる状態等）したときの第２の振動のパターンＰ２とを有する。これら第１の振動のパターンＰ１と第２の振動のパターンＰ２とは、互いに異なったパターン、例えば振動の長さ、周波数、大きさ等に設定されている。
【００７７】
具体的には、図１８に示すようにユーザは、本装置１０と人物である被写体Ｑとの間の撮像範囲内に左手の指ＨＬを侵入させ、同左手の指ＨＬを本装置１０の撮像範囲内に人物である被写体Ｑが入るであろうところに配置する。  
撮像範囲内への左手の指ＨＬが進むと、当該左手の指ＨＬは、図１９に示すように画像データ中において人物である被写体Ｑｈと接触するようになる。
【００７８】
従って、判定・制御部１０５は、報知部を利用、例えばユーザの左手の指ＨＬ等が撮像範囲内（この範囲は所定画像検出部１０２で検出）に入ったときに各振動部材４０又は４１を第１の振動のパターンＰ１で振動させ、ユーザの左手の指ＨＬが人物である被写体Ｑ（この被写体Ｑは所定画像検出部１０２で検出）に接触したとき（先に検出されていた所定画像部のあった座標等の撮像結果に新たに指標の画像の座標が接したり重なる状態等）の各振動部材４０又は４１を第２の振動のパターンＰ２で振動させる。  
さらに、判定・制御部１０５は、報知部を活用し指標判定部１０１による判定結果、すなわちユーザの右手の指ＨＲの進行方向に基づいて当該ユーザの右手の指ＨＲが被写体Ｑである人物の顔部（この顔部画像検出や輪郭検出は所定画像検出部１０２で顔検出で行う）に接触するか否か（先に検出されていた所定画像検出部１０２による所定画像部の座標等に新たに指標判定部１０１による指標の画像の座標が接したり重なる状態等で判定）、又は顔部よりも下方の人体の輪郭に接触するか否かの判定結果に応じて各振動部材４０、４１の振動パターンを別の振動パターンＰ３、Ｐ４等に設定する。  
なお、判定・制御部１０５は、報知部の各部を活用し、複数の振動パターンにより振動させるのに限らず、発音部３８により発する音声の内容を複数種類に設定してもよい。例えば、音声の内容は、例えばユーザの右手の指ＨＲ等の指標が撮像部２の撮像範囲内（この範囲は所定画像検出部１０２で検出）に入ったことを知らせるものであればよく、例えば所定周波数の音声を連続的又は断続的に発生しても良いし、具体的に音声「顔部が入りました」「顔部よりも下方の人体の輪郭」などを発生してもよい。
【００７９】
次に、上記の如く構成された装置の動作について図２０に示す操作装置用フローチャートに従って説明する。なお、図１５に示す操作装置用フローチャートと同一ステップの部分には同一ステップの番号を付してその詳しい説明を省略する。  
ユーザは、図１８に示すように本装置１０により被写体Ｑとして人物を撮像しようとしている。  
指標判定部１０１は、ステップＳ１１１において、画像データの濃淡レベルの変化から先端部を有し、かつスルー画像Ｄ１の縁部から連続する棒状の形状の領域で、さらに当該棒状の形状の領域の進行方向がスルー画像Ｄ１の中央部に向かっているか否かを判定する。もちろん、画面外から侵入したものの先端を像で検出しても良い。上記縁部は所定画像判定部１０２で判定する。  
この判定の結果、先端部を有し、かつスルー画像Ｄ１の縁部から連続する棒状の形状の領域で、さらに進行方向がスルー画像Ｄ１の中央部に向かっていれば、指標判定部１０１は、ステップＳ１６０において、当該先端部を有し、スルー画像Ｄ１の縁部から連続する棒状の形状で、さらに進行方向がスルー画像Ｄ１の中央部に向かう領域の色が人物の指の特有の色であるか否かをスルー画像Ｄ１の情報に基づいて判定する。すなわち、本装置１０の撮像範囲内に例えばユーザの右手の指ＨＲが入ったか否かを判定する。これは、装置を対象物に向けて構えている状態で、装置の背後から指が伸ばされるので、装置が観察する撮像範囲外から指形状のものが画像中心に突き出されたことを判定してもよい。
【００８０】
この判定の結果、人物の指の特有の色であれば、指標判定部１０１は、ステップＳ１６１において、スルー画像Ｄ１の縁部から入った棒状の形状の領域の長さが例えばスルー画像Ｄ１の１０分の１に到達したか否かを判定する。このように指の先端部が画面内に侵入したことを判定を行っても良い。  
この判定の結果、棒状の形状の領域の長さが例えばスルー画像Ｄ１の１０分の１に達すると、指標判定部１０１は、ステップＳ１６２において、スルー画像Ｄ１の左右側の縁部からユーザの右手の複数の指ＨＲが入ったかを判定する。もちろん、指は複数で無くても良い。画面の周辺から画面中心に向かって入る鉛筆や差し棒でもよい。つまり特定の指標の像と言い換えることが出来る。
【００８１】
この判定の結果、上記図１８に示すようにスルー画像Ｄ１の左側の縁部からユーザの左手の複数の指ＨＲが入ったことを判定すると、指標判定部１０１は、ステップＳ１６３において、撮像系２０の左の両側において、ユーザの左手の指ＨＬが撮像範囲内（範囲外から範囲内の境界は所定画像検出部１０２で判定可能）に入ったことの旨を印加部２５に送る。この印加部２５は、撮像系２０の外周面に設けられている振動部材２４の左右の両側に対応する部分に第１の振動のパターンＰ１で振動するための電圧信号を印加するので、当該振動部材２４には、撮像系２０の外周の左右に対応する各部分に第１の振動のパターンＰ１の振動が発生する。
【００８２】
又、判定の結果、スルー画像Ｄ１の上側の縁部からユーザの右手の複数の指ＨＲが入ったことを判定すると、指標判定部１０１は、ステップＳ１６４において、撮像系２０の上下の両側において、ユーザの左手の指ＨＬが撮像範囲内に入ったことの旨を印加部２５に送る。この印加部２５は、撮像系２０の外周面に設けられている振動部材２４の上下の両側に対応する部分に第１の振動のパターンＰ１で振動するための電圧信号を印加するので、当該振動部材２４には、撮像系２０の外周の上下に対応する各部分に第１の振動のパターンＰ１の振動が発生する。
【００８３】
上記ステップＳ１６１での判定の結果、棒状の形状の領域の長さが例えばスルー画像Ｄ１の１０分の１に到達していなければ、所定画像検出部１０２は、ステップＳ１７１において、スルー画像Ｄ１から例えば眼部や鼻部、口部の配置位置に基づいて人物の顔部を認識し、かつ顔部よりも下方の人体の輪郭を認識し、ステップＳ１７２において、図１９に示すようにユーザの右手の指ＨＲの進行方向に基づいて当該ユーザの右手の指ＨＲが被写体Ｑである人物の顔部又は人体の輪郭に接触するか否かを判定する。これは実際の被写体ではなく被写体像が撮像部のデータに基づいた輪郭データ部を所定画像検出部１０２が判定するものである。
【００８４】
この判定の結果、ユーザの右手の指ＨＲが被写体Ｑである人物の顔部又は人体の輪郭に接触する指標判定部１０１と、所定画像検出部１０２の判定結果とから、判定・制御部１０５が判定すると、ステップＳ１７３において、ユーザの右手の指ＨＲが被写体Ｑである人物の顔部又は人体の輪郭に接触することの旨を報知部に送る。つまり、振動の場合、印加部３５に送る。この印加部３５は、本装置１０の本体に設けられている振動部材３４に第２の振動のパターンＰ２で振動するための電圧信号を印加するので、当該振動部材３４には、本装置１０の本体に第２の振動のパターンＰ２の振動が発生する。
【００８５】
上記ステップＳ１７２での判定の結果、ユーザの右手の指ＨＲが被写体Ｑである人物の顔部又は人体の輪郭に接触しなければ、判定・制御部１０５は、ステップＳ１７４において、ユーザの右手の指ＨＲが被写体Ｑである人物の顔部又は人体の輪郭に接触しない旨を報知部に送る。つまり、振動制御時には印加部３５に送る。この印加部３５は、本装置１０の本体に設けられている振動部材３４に第３の振動のパターンＰ３で振動するための電圧信号を印加するので、当該振動部材３４には、本装置１０の本体に第３の振動のパターンＰ３の振動が発生する。
【００８６】
上記ステップＳ１７１での判定の結果、ユーザの右手の指ＨＲが被写体Ｑである人物の顔部又は人体の輪郭に接触しなければ、判定・制御部１０５は、ステップＳ１８１において、ユーザの右手の指ＨＲが被写体Ｑである人物の輪郭に対して直交する方向に進行しているか否かを判定する。  
この判定の結果、ユーザの右手の指ＨＲが被写体Ｑである人物の輪郭（これは撮像部のデータを用いて所定画像検出部１０２が画像情報の変化部の変化なし方向で判定）に対して直交する方向に進行していれば、判定・制御部１０５は、ステップＳ１８２において、ユーザの右手の指ＨＲが被写体Ｑである人体の輪郭に対して直交する方向に進行している旨を報知部、振動の場合は、印加部３５に送る。この印加部３５は、本装置１０の本体に設けられている振動部材３４に第４の振動のパターンＰ４で振動するための電圧信号を印加するので、当該振動部材３４には、本装置１０の本体に第４の振動のパターンＰ４の振動が発生する。
【００８７】
ユーザの右手の指ＨＲが被写体Ｑである人物の輪郭に対して直交する方向（画像情報の変化部の変化方向）に進行していなければ、判定・制御部１０５は、ステップＳ１８３において、ユーザの右手の指ＨＲが被写体Ｑである人体の輪郭に対して直交する方向に進行していない旨を印加部３５に送る。この印加部３５は、本装置１０の本体に設けられている振動部材３４に第５の振動のパターンＰ５で振動するための電圧信号を印加するので、当該振動部材３４には、本装置１０の本体に第５の振動のパターンＰ５の振動が発生する。このような輪郭などは画像のコントラストや色や濃淡の変化や、その境界の分析で判定可能である。これは、所定画像検出部１０２で検出できる。このように、輪郭など所定画像部のあった座標に、指標判定部１０１で判定された、指標の画像の座標が接したり重なる状態が判定・制御部１０５で検出できれば、その結果を報知することができる。画像情報の変化部の変化方向（輪郭に直交する方向）と変化なし方向（輪郭が続く方向）を判定可能にして、指標先端がどのように接触するかによって、報知結果を変更しても良い。それによって、輪郭をなぞったり探したりが出来る。
【００８８】
このように上記第２の実施の形態によれば、例えばユーザの右手の指ＨＲ等が撮像範囲内に入ったこと、又は例えばユーザの右手の指ＨＲ等が画像データ中において鳥類等の被写体Ｑに接触したことを判定し、ユーザの右手の指ＨＲ等が撮像範囲内に入ったときに各振動部材４０、４１を第１の振動のパターンＰ１で振動させ、画像データ中においてユーザの右手の指ＨＲ等が鳥類や人物等の被写体Ｑに接触したときに第２の振動のパターンＰ２で振動させ、さらにユーザの右手の指ＨＲの進行方向に基づいて当該ユーザの右手の指ＨＲが被写体Ｑである人物の顔部に接触するか否か、又は顔部よりも下方の人体の輪郭に接触するか否か（先に検出されていた顔や人体の所定画像部のあった座標等の撮像結果に新たに指標の画像の座標が接したり重なる状態等）の判定結果などに応じて各振動部材４０、４１の振動パターンを別の振動パターンＰ３、Ｐ４等に設定するので、上記第１の実施の形態と同様の効果を奏することができ、さらに振動パターンＰ３、Ｐ４等によってユーザの右手の指ＨＲが被写体Ｑである人物の顔部に接触するか否か、又は顔部よりも下方の人体の輪郭に接触するか否かの判定結果を、周囲環境の明るさの影響を受けず、背面モニタ８に表示される画像を常に確認していなくても認識できる。被写体や対象物などの輪郭などは画像のコントラストや色や濃淡の変化や、その境界の分析で判定可能である。これは、所定画像検出部１０２で検出できる。このように、輪郭など所定画像部のあった座標に、指標判定部１０１で判定された、指標の画像の座標が接したり重なる状態が判定・制御部１０５で検出できれば、その結果を報知することができる。画像情報の変化部の変化方向（輪郭に直交する方向）と変化なし方向（輪郭が続く方向）を判定可能にして、指標先端がどのように接触するかによって、報知結果を変更しても良い。それによって、輪郭をなぞったり探したりが出来る。
【００８９】
又、ユーザの右手の指ＨＲが入ってくる箇所、例えば画像データの左側、右側、上側又は下側のいずれかに応じて振動パターンを変えることにより、例えば画像データの左側と右側との間、又は上側と下側との間に被写体Ｑが存在することを確認できる。  
又、振動パターンを変えるだけでなく、発音部３８から発する音声を変えることにより、ユーザは、音声を聞き取るだけでも例えば画像データの左側と右側との間、又は上側と下側との間に被写体Ｑが存在することを確認でき、背面モニタ８に表示される画像を常に確認してなくてもよい。これにより、ユーザは、本装置１０を自身の首に掛けて音声を聞き取ることで被写体Ｑが存在することを確認でき、ノーファインダー撮影も容易に行うことを可能とする。  
［第３の実施の形態］  
次に、本発明の第３の実施の形態について図面を参照して説明する。なお、本装置１０の構成は、図１に示す構成と略同一であり、その相違するところについて説明する。  
画像処理・制御部１００は、再生モードで、かつ触覚モードに設定されると、記録部３３に記録されている画像データを読み出し、この画像データを背面モニタ８に表示する。  
この再生モード時、画像処理・制御部１００の指標判定部１０１は、撮像範囲内で移動する指標、例えばユーザの右手で把持しているマーカ等の軌跡を判定する。特定の指標の像と言い換えてもよい。
【００９０】
判定・制御部１０５は、指標判定部１０１により判定された例えばユーザの右手の指ＨＲ等の軌跡が再生された画像データと関連性を有すれば、報知部に伝達、つまり判定・制御部１０５が、振動印加部２５、３５や発音部３８を制御して機能部位を構成するこの報知部を利用し当該関連性に応じた旨の報知を行う。  
本装置１０は、例えば図２１に示すようにユーザの首に掛けた状態や、めがね型、頭部装着型カメラに適用し、画像再生に利用することが可能である。  
画像処理・制御部１００は、触覚モードにおいて、例えば図２２に示すように例えばユーザの右手で把持しているマーカＭ等の軌跡を判定し、この軌跡の座標を求める。このマーカＭ等の軌跡の座標は、再生モード時の画像データの例えば左下の座標を原点Ｇとする。
【００９１】
次に、上記の如く構成された装置の動作について図２３に示す触覚モードにおける画像再生フローチャートに従って説明する。  
画像処理・制御部１００は、再生モード時、ステップＳ２０１において、記録部３３に記録されている画像データを読み出す。
【００９２】
画像処理・制御部１００は、ステップＳ２０２において、触覚モードに設定されているか否かを判定し、触覚モードに設定されていれば、ステップＳ２０３において、撮像部２から出力される被写体Ｑの被写体像に応じた画像信号を入力し、この画像信号に対して画像処理を行い、静止又は動画の画像データを取得し、スルー画像Ｄ１として背面モニタ８に表示する。
【００９３】
指標判定部は、ステップＳ２０４において、本装置１０の撮像範囲、例えばスルー画像Ｄ１の縁部に変化、すなわちスルー画像Ｄ１の縁部の濃淡レベルに変化が有るか否かで、特定の指標の像を判定する。  
この判定の結果、スルー画像Ｄ１の縁部に濃淡レベルの変化が有れば、指標判定部１０１は、ステップＳ２１１において、画像データの濃淡レベルの変化から先端部を有し、かつスルー画像Ｄ１の縁部から連続する棒状の形状の領域で、さらに当該棒状の形状の領域の進行方向がスルー画像Ｄ１の中央部に向かっているか否かを判定する。この判定では、本装置１０の撮像範囲内に例えばユーザの右手の指ＨＲが入ったか否かを判定する。この指ＨＲの先端は、指形状を判定し、先端の丸い部分から爪から指の付け根に向けての直線部と分離して判定したり、第１関節部を判定して、そこを先端としてもよい。撮像部の外側は、先端は検出できないので、指の爪がある部分の先端の丸い部分が入ったかどうかで判定しても良い。
【００９４】
この判定の結果、本装置１０の撮像範囲内に例えばユーザの右手の指ＨＲが入ると、指標判定部１０１は、ステップＳ２１２において、当該棒状の形状になる濃淡レベルの変化が複数領域現れたか否か、すなわち本装置１０の撮像範囲内に例えばユーザの右手の複数の指ＨＲが入ったか否かを判定する。
【００９５】
この判定の結果、本装置１０の撮像範囲内に例えばユーザの右手の複数の指ＨＲが入ると、画像処理・制御部１００は、ステップＳ２１３において、スルー画像Ｄ１中において例えばユーザの右手の複数の指ＨＲの座標を判定する。すなわち、画像処理・制御部１００は、触覚モードにおいて、例えば図２２に示すように例えばユーザの右手で把持しているマーカＭ等の軌跡を判定し、この軌跡の座標を求める。同図ではユーザは右手で把持しているマーカＭを例えば左上方から右下方に向けて直線状に引いている。画像処理・制御部１００は、当該左上方から右下方に向けて直線状に引いたマーカＭの軌跡を判定し、この軌跡の座標を求める。
【００９６】
指標判定部１０１は、ステップＳ２１４において、上記ステップＳ２０１にて記録部３３から読み出した再生用の画像データにおいて、直線状に引いたマーカＭの軌跡の座標が当該再生用の画像データ中におけるコントラストの変化する部分（これは所定画像検出部１０２で検出する）の座標に相当するか否か、すなわち関連性を有するか否かを判定する。  
例えば直線状に引いたマーカＭの軌跡が山岳の稜線を想定するものであり、再生用の画像データ中に写る被写体が山岳であると、直線状に引いたマーカＭの軌跡の座標は、再生用の画像データ中の山岳の稜線に相当するコントラストの変化する部分の座標に相当するものとなる。このような輪郭などは画像のコントラストや色や濃淡の変化や、その境界の分析で判定可能である。これは、所定画像検出部１０２で検出できる。このように、輪郭など所定画像部のあった座標に、指標判定部１０１で判定された、指標の画像の座標が接したり重なる状態が判定・制御部１０５で検出できれば、その結果を報知することができる。画像情報の変化部の変化方向（輪郭に直交する方向）と変化なし方向（輪郭が続く方向）を判定可能にして、指標先端がどのように接触するかによって、報知結果を変更しても良い。それによって、輪郭をなぞったり探したりが出来る。
【００９７】
この判定の結果、マーカＭの軌跡の座標が再生用の画像データ中のコントラスト変化部分の座標に相当するものであれば、指標判定部１０１は、ステップＳ２１５において、マーカＭの軌跡の座標からマーカＭの移動方向を求め、このマーカＭの移動方向が再生用の画像データ中のコントラスト変化部分の方向（これは撮像部からの対象物データを分析して濃淡やコントラストの方向から所定画像検出部１０２が判定）に対して略直交しているか否かを判定する。
【００９８】
この判定の結果、マーカＭの移動方向が再生用の画像データ中のコントラスト変化部分の方向に対して略直交していれば、指標判定部１０１は、ステップＳ２１６において、マーカＭの移動方向が再生用の画像データ中のコントラスト変化部分の方向（これは対象物や被写体像が撮像部のデータを所定画像検出部１０２が判定）に対して略直交していることを報知するために振動パターンＡで振動を発生するための指示を印加部２５に送ると共に、音声パターンａの音声を発生するための指示を発音部３８に送る。  
印加部２５は、例えば、振動部材２４又は３４を振動パターンＡで振動を発生するための電圧信号を印加するので、当該振動部材２４又は３４は、振動パターンＡで振動を発生する。これと共に、発音部３８は、音声パターンａの音声を発生する。
【００９９】
一方、マーカＭの移動方向が再生用の画像データ中のコントラスト変化部分の方向に対して略直交していなければ、指標判定部１０１は、ステップＳ２１７において、マーカＭの移動方向が再生用の画像データ中のコントラスト変化部分（これは対象物画像を撮像部で得た時のデータを所定画像検出部１０２が判定）の方向に沿っているか否かを判定する。  
この判定の結果、マーカＭの移動方向が再生用の画像データ中のコントラスト変化部分の方向に沿っていれば、指標判定部１０１は、ステップＳ２１８において、マーカＭの移動方向が再生用の画像データ中のコントラスト変化部分（これは対象物画像を撮像部で得たデータを所定画像検出部１０２が判定）の方向に沿っていることを報知するために振動パターンＢで振動を発生するための指示を印加部２５に送ると共に、音声パターンｂの音声を発生するための指示を発音部３８に送る。
【０１００】
印加部２５は、例えば、振動部材２４又は３４を振動パターンＢで振動を発生するための電圧信号を印加するので、当該振動部材２４又は３４は、振動パターンＢで振動を発生する。これと共に、発音部３８は、音声パターンｂの音声を発生する。
このように上記第３の実施の形態によれば、再生用の画像データにおいて、マーカＭの軌跡の座標が当該再生用の画像データ中におけるコントラストの変化する部分の座標に相当するか否か、すなわち関連性を有するか否かを判定し、マーカＭの移動方向が再生用の画像データ中のコントラスト変化部分の方向に対して略直交しているか否かに応じてそれぞれ異なる振動パターンＡ又はＢで振動を発生させ、かつそれぞれ異なる音声パターンａ又はｂで音声を発生するので、画像データの再生時に、ユーザによるマーカＭの移動方向に沿った被写体Ｑを認識できる。  
また、以上の実施例では、振動部が機器に一体化されていたが、もちろん、別体にして分離可能で通信によって振動発生をさせてもよく、この分離された振動部を指に装着できるようにしてもよい。それによって、指に直接、画像を触った感じを伝達でき、さらに視覚への依存を低減させることが可能となる。目の不自由なユーザが撮影でき、それをなぞるように確認できるカメラの提供などが可能となる。対象物や被写体画像の輪郭などは画像のコントラストや色や濃淡の変化や、その境界の分析で判定可能である。これは、所定画像検出部１０２で検出できる。輪郭など所定画像部のあった座標に、指標判定部１０１で判定された、指標の画像の座標が接したり重なる状態が判定・制御部１０５で検出できれば、その結果を報知することができる。画像情報の変化部の変化方向（輪郭に直交する方向）と変化なし方向（輪郭が続く方向）を判定可能にして、指標先端がどのように接触するかによって、報知結果を変更しても良い。それによって、輪郭をなぞったり探したりが出来る。  
また、音声発生部も同様で分離可能であってもよく、ワイヤレスやワイヤ付きイヤホンにしても良い。これによって、周りの人に迷惑をかけず、補聴器のようなウェアラブル性を持たせることが出来る。カメラも図２１のように胸部に、または頭部などに装着できるようにして、全機器をウェアラブルにして、両手を自由に使えるように機器を構成してもよい。簡便に使える視覚補助装置にもなる。
【０１０１】
なお、上述では主として表示装置や操作装置について説明したが、これらを上述したように制御する制御方法であっても良いし、コンピュータに表示装置を上述したように制御させるための制御プログラム、該制御プログラムを記録するコンピュータにより読み取り可能な一時的でない記録媒体、等であっても構わない。  
具体的に、上記で説明した技術の内の、主にフローチャートを参照して説明した制御に関しては、プログラムの処理より実行可能であることが多く、このプログラムは記録媒体や記録部に収められる場合もある。このプログラムの記録は、製品を出荷するときに出荷製品に対して行っても良いし、製品の出荷と共にあるいは製品の出荷とは異なる時点で配布する記録媒体に対して行っても良い。あるいは、プログラムを、インターネット等の通信回線を介してダウンロードすることができるようにしても良い。  
また、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。このように、発明の主旨を逸脱しない範囲内において種々の変形や応用が可能であることは勿論である。
【符号の説明】
【０１０２】
１０：撮像装置、２：撮像部、ＨＬ：左手、２１：撮影光学系、Ｑ：被写体、８：表示部（背面モニタ）、２０：撮像系、２２：発光部、２３：タッチパネル、２４：振動部材、２５：印加部、２３：タッチパネル、２５：印加部、２４ａ：圧電素子層、２４ｂ：微小電極、２４ｃ：可撓性電極、２６−１〜２６−４：定電圧源、２７−１〜２７−４：第１のスイッチ群の各スイッチ（第１のスイッチ群）、２８−１〜２８−４：第２のスイッチ群の各スイッチ（第２のスイッチ群）、２９−１：第１のスイッチ制御部、２９−２：第２のスイッチ制御部、２９−３：デコーダ、３０：操作判定部、３１：アンセンサ、３２：ＥＶＦ、３３：記録部、３４：振動部材、３５：印加部、３６：タッチパネル、３７：時計、３８：発音部、１００：画像処理・制御部、１０１：指標判定部、１０２：所定画像検出部、１０３：タッチ位置判定部、１０４：表示制御部、１０５：判定・制御部。
【図１】
2014192889.tif 000003
【図２】
2014192889.tif 000004
【図３】
2014192889.tif 000005
【図４】
2014192889.tif 000006
【図５】
2014192889.tif 000007
【図６】
2014192889.tif 000008
【図７】
2014192889.tif 000009
【図８】
2014192889.tif 000010
【図９】
2014192889.tif 000011
【図１０】
2014192889.tif 000012
【図１１】
2014192889.tif 000013
【図１２】
2014192889.tif 000014
【図１３】
2014192889.tif 000015
【図１４】
2014192889.tif 000016
【図１５】
2014192889.tif 000017
【図１６】
2014192889.tif 000018
【図１７】
2014192889.tif 000019
【図１８】
2014192889.tif 000020
【図１９】
2014192889.tif 000021
【図２０】
2014192889.tif 000022
【図２１】
2014192889.tif 000023
【図２２】
2014192889.tif 000024
【図２３】
2014192889.tif 000025